(57)【要約】      （修正有）【課題】装着者の顔にぴったり密着し、しかも、大量の保管を簡単に行うことができる、立体マスクを提供する。【解決手段】横長の表面部材１０と、表面部材１０の略１／２の上下幅を有する上部裏面部材１１と、表面部材１０の背面下部に配置され前記裏面部材１１の略１／２の上下幅を有し不織布からなる下部裏面部材１２と、前記表面部材１０の背面両側部に両端を固定された装着用バンド１３と、前記表面部材１０に配置された呼気弁２０とを備える。表面部材１０の上縁と上部背面部材の折畳み時の上縁とを一緒に縫着すると共に、当該表面部材１０の下縁と下部裏面部材１２の折畳み持の下縁とを一緒に縫着し、不使用時には表面部材１０の裏面に、上，下部の裏面部材１１，１２を折畳み、使用時には上，下部の裏面部材１２を表面部材１０の裏面からそれぞれ上，下に展開して使用するようした。【選択図】図３
0003152793.tif 000002
【実用新案登録請求の範囲】
【請求項１】
不織布などのマスク用材であって横長の略長方形状を呈する表面部材と、該表面部材の背面上部に配置された不織布などのマスク用材であって前記表面部材の略１／２の上下幅を有する上部裏面部材と、前記表面部材の背面下部に配置された不織布などのマスク用材であって前記裏面部材の略１／２の上下幅を有する下部裏面部材と、前記表面部材の背面両側部に両端を固定された装着用バンドと、前記表面部材に配置された呼気弁とを備え、表面部材の上縁と上部背面部材の折畳み時の上縁とを一緒に縫着すると共に、当該表面部材の下縁と下部裏面部材の折畳み持の下縁とを一緒に縫着し、不使用時には表面部材の裏面に、上，下部の裏面部材を折畳み、使用時には上，下部の裏面部材を表面部材の裏面からそれぞれ上，下に展開して使用するようしたことを特徴とする折畳み式立体マスク。
【請求項２】
上部裏面部材は、折畳み時の下縁の左右隅部に略４５度のカット部を、下部裏面部材は、折畳み時の上縁の左右隅部に略４５度のカット部をそれぞれ備え、前記上部裏面部材が折畳み時の下縁とカット部を残して表面部材に縫着されると共に、下部裏面部材が折畳み時の上縁とカット部を残して表面部材に縫着されている請求項１の折畳み式立体マスク。
【請求項３】
上部裏面部材は、その外面又は内面にノーズピースを備えると共に、内面又は外面に前記ノーズピースと対応したクッション材を設けた請求項１又は２の折畳み式立体マスク。
【考案の詳細な説明】
【技術分野】
【０００１】
本考案は、立体マスクに係わり、さらに詳しくは、使い捨て防塵マスクとして好適な折畳み式立体マスク関する。
【背景技術】
【０００２】
公知の立体マスクは、一例として、ほぼ顔の左右幅より稍大き目の不織布を蛇腹状に折って横長の長方形状に畳んだ状態を形成し、この状態で熱あるいは超音波などによって溶着加工して製作され、使用時に蛇腹を上下方向に広げ、装着者の鼻から顎までを覆うようにした折畳み式の立体タイプと呼ばれる形状の立体マスクが多く販売され、その市場占有率はかなりのものとなっている。
【０００３】
このような立体マスクの具体例としては、例えば、通気性材料の少なくとも一つの層から形成され、装着者の少なくとも鼻および口を覆って装着できる形態を有する通気性表面部材と、接着剤の印刷パッチにより前記表面部材に固定される少なくとも一つの部品として呼気フィルタを備えたものがある。このマスクは、通気性表面部材を不織布などの通気性材料の複数枚を重ね合わせた層から形成し、それらの少なくとも一つにフィルタ部材を設けた形態のマスクとして提供されている（たとえば特許文献１を参照）。前記フィルタ部材は呼気弁であり、接着剤の印刷パッチが呼吸表面部材の呼気孔を包囲している。一方、通気性表面部材は、略楕円形の中央パネルと、中央パネルの裏面に配置された上側パネルと下側パネルとから形成され、二本のヘッドバンドを具備している。従って、前記バンドを装着者の頭に掛け、このマスクを顔面に固定するとき、上側パネルが装着者の鼻付近を中央パネルが口付近をそれぞれ覆い、上側パネルに設けた鼻クリップが装着者の鼻および頬にこのマスクを密着させることができるように形成されている。そして、中央パネルに配置された呼気弁が呼気の通過を容易にしている。
【０００４】
上記のような立体タイプのマスクは、口や鼻の前面に空間が確保されるため、会話がしやすく、女性の口紅がつかないなどの利点がある。しかしながら、その形態のせいか多くの高齢者には余り好まれず、従来のガーゼや不織布或はナイロン繊維などのマスク用材を数枚重ね合わせた略横長の長方形状を呈する平板状の従来タイプのマスクがかなりの種類提供されている（例えば特許文献２を参照）。
【先行技術文献】
【特許文献】
【０００５】
【特許文献１】特許第４１７３６３２号明細書
【特許文献２】公開実用新案公報昭６１−６０９５５
【考案の概要】
【考案が解決しようとする課題】
【０００６】
本考案は、上述のような従来技術に鑑み、折畳んだ非装着時に、従来タイプのガーゼマスクのような横長の略長方形状を呈し、装着時には、立体化して装着者の顔の曲面に沿ってぴったり密着し、しかも、折畳み状態で嵩張らない長方形状に折畳むことができることにより、大量のマスクであってもスペース効率よく、かつ、簡単に保管や運搬を行うことができる、折畳み式の立体マスクを提供することを、その課題とする。
【課題を解決するための手段】
【０００７】
上記課題を解決することを目的としてなされた本考案マスクは、不織布などのマスク用材であって横長の略長方形状を呈する表面部材と、該表面部材の背面上部に配置された不織布などのマスク用材であって前記表面部材の略１／２の上下幅を有する上部裏面部材と、前記表面部材の背面下部に配置された不織布などのマスク用材であって前記裏面部材の略１／２の上下幅を有する下部裏面部材と、前記表面部材の背面両側部に両端を固定された装着用バンドと、前記表面部材に配置された呼気弁とを備え、表面部材の上縁と上部背面部材の折畳み時の上縁とを一緒に縫着すると共に、当該表面部材の下縁と下部裏面部材の折畳み持の下縁とを一緒に縫着し、不使用時には表面部材の裏面に、上，下部の裏面部材を折畳み、使用時には上，下部の裏面部材を表面部材の裏面からそれぞれ上，下に展開して使用するようしたことを特徴とするものである。
【考案の効果】
【０００８】
上記のように、本考案立体マスクは、不織布などのマスク用材であって横長の略長方形状を呈する表面部材と、該表面部材の背面上部に配置された不織布などのマスク用材であって前記表面部材の略１／２の上下幅を有する上部裏面部材と、前記表面部材の背面下部に配置された不織布などのマスク用材であって前記裏面部材の略１／２の上下幅を有する下部裏面部材と、前記表面部材の背面両側部に両端を固定された装着用バンドと、前記表面部材に配置された呼気弁とを備え、表面部材の上縁と上部背面部材の折畳み時の上縁とを一緒に縫着すると共に、当該表面部材の下縁と下部裏面部材の折畳み持の下縁とを一緒に縫着しているので、非装着時の折畳み状態では、従来のガーゼマスクのような横長の略長方形状を呈し、展開して装着した時には、マスクが立体状となってその外周縁が装着者の顔にぴったり密着するので、着装感が良好であり、しかも、不使用時には嵩張らないように長方形に折畳めるので、大量のマスクの保管や運搬を簡単かつ省スペース的に行うことができる。
【図面の簡単な説明】
【０００９】
【図１】本考案立体マスクの一実施形態を示す呼気フィルタの一部を破断した正面図。
【図２】図１のマスクの折畳んだ状態において裏面部材の一部を破断した背面図。
【図３】図１の３−３線に沿う拡大断面図。
【図４】図１〜図３に示す本考案マスクの使用状態を示す斜視図。0
【考案を実施するための形態】
【００１０】
本考案立体マスクは、例えば図１〜図３に示すように、表面部材１０と、該表面部材１０の背面において、背面上部に配置された上部裏面部材１１と、背面下部に配置された下部裏面部材１２と、表面部材１０の背面左右側部に両端を固定された装着用のバンド１３と、表面部材１０の、図の例では下部寄りに配置された呼気弁２０とを備えている。
【００１１】
表面部材１０は、横長の略長方形状に形成された、一例として、四枚（四層）の不織布からなる。表地１０ａは、マスク保形性をもたせるため少し堅めの不織布であり、裏地１０ｂは、装着者の肌になじむ柔らかな不織布を用いている。表地１０ａと裏地１０ｂとの間には、細かな粉じんを濾過する２枚の不織布による２層フィルタ１０ｃが配置されている。４枚の不織布は、外周縁をミシン目１０ｅによって縫い合わされている。また、表面部材１０の中央下部寄りにおいて、生地１０ａ〜１０ｃを貫通して円孔１０ｄが開設されている。
【００１２】
上部裏面部材１１は、表面部材１０の上下幅（縦幅）の略１／２の上下幅を有し、長さ（左右幅）が表面部材１０にほぼ等しく、かつ、その表面部材１０と同様の層構造である四枚（四層）の不織布１１ａ〜１１ｃから形成されている。なお、図２の裏面図に示すように、上部裏面部材１１は、折畳んだ状態における左右の下方隅部が三角形状（約４５度）にカットされ、周縁全体をミシン目１１ｄによって縫着されている。そして、この上部裏面部材１１の上縁およびカット部を除く左右側縁の一部（非カット部）は、ミシン目１０ｅによって表面部材１０に袋縫いにより縫着されている。なお、側縁の非カット部は、略４５度の角度で表面部材１０の裏面に縫着１４されている。これにより、表面部材１０に縫着されない三角形状のカット部１１ｅと斜めの縫着部１４は、左右の両側縁が外向きの屋根形に尖った長方形状の上部裏面部材を形成する。
【００１３】
一方、下部裏面部材１２も、表面部材１０と同様に構成された四枚（四層）の不織布１２ａ〜１２ｃからなり、左右側縁から折畳み時の上縁にかけてを略４５度の三角形状にカットし、周縁全体をミシン目１０ｅによって縫着している。そして、下部裏面部材１２の折畳み時の下縁およびその下縁と側縁がなす隅部の４５度（非カット部）は、ミシン目１５によって表面部材１０に袋縫いにより縫着され、４５度の縫着隅部と三角形状のカット部１２ｅとが一緒になって、左右の両側縁が横向き屋根形に尖った長方形状をなす下部裏面部材１２に形成されている。本考案において、上記の表面部材１０，上，下の裏面部材１１，１２は、上記の不織布のほか、ガーゼや化学繊維，天然繊維のマスク用材を用いることができる。
【００１４】
１７は、装着時のマスク上縁を鼻を含む顔面の立体形状に沿わせるための部材として設けたノーズピースで、このノーズピース１７は、合成樹脂板や合成樹脂でくるんだ金属板などから形成されており、図の例では上部裏面部材１１の外面に接合されている。上部裏面部材１１の裏面には、モルトプレン樹脂などからなるクッション材１８がノーズピース１７の位置に合わせて、接合されている。なお、クッション材１８とノーズピース１７の表裏の関係は、図示した例の逆であってもよい。
【００１５】
１３は、マスク装着用のバンドであり、このバンド１３は、この例ではゴムなどの弾性体を布でくるみ、かつ縫製したものから形成されている。ここで、片方のバンド１３は、表面部材１０の裏面上部に配置され、両端を、表面部材１０と上部裏面部材１１における４５度の縫着隅部に縫着されている。そして、他方のバンド１３は、表面部材１０と下部裏面部材１２における４５度の縫着隅部に配置され、両端が前記表面部材１０と裏面部材１２に縫着されている。
【００１６】
呼気弁２０は、外部部材２１と内部部材２２の二つの部材からなり、外部部材２１を表面部材１０の表面に、内部部材２２を表面部材１０の背面に配置付けて、外部部材２１と内部部材２２により表面部材１０を挟持させていると共に、この弁２０の内部にフィルタ部２３を介在させて両部材２１，２２を嵌合することにより、表面部材１０に固定されている。なお、外部部材２１および内部部材２２は合成樹脂の成形品である。
【００１７】
ここで、外部部材２１は、円盤状の頂部２１ａとこれを中空円筒状の基部２１ｂ上に支持する三つの柱部２１ｃとからなっている。柱部２１ｃの間には開口部２１ｄが形成されている。基部２１ｂは、頂部２１ａよりも大きな径を有し、その下面周上には円形輪郭の溝状凹み部２１ｅが形成されている。そして、頂部２１ａの裏面には、中心に位置して円柱状の押え部２１ｆが形成されている。押え部２１ｆの自由端（先端）には筒状の凹みが形成されている。
【００１８】
一方、内部部材２２は、中空円筒状の基部２２ａに、円筒状の中心部から放射状に延びた枝状の受け部２２ｃを備えている。この内部部材２２は、前記外部部材２１の基部２１ｂに対応する径を有し、かつ、当該外部部材２１の凹み部２１ｅに嵌る短かい（又は、低い）円筒状の突起部２２ｅを備えていると共に、放射状枝の受け部２２ｃの中心には外部部材２１の中心に設けられた押え部２１ｆの先端凹みに嵌る突起２２ｆが形成されている。
【００１９】
フィルタ部材２３は、薄い円盤状の形態を有し、表面部材１０、裏面部材１１と１２と同様な防塵性能をもつ不織布や軟質合成樹脂などから形成されている。このフィルタ部材２３は、内部部材２２の受け部２２ｃの上に載せられ、外部部材２１の中心に位置している押さえ部２１ｆによってその位置が固定されている。
【００２０】
上記の呼気弁２０は、外部部材２１を表面部材１０の外面に、内部部材２２を表面部材１０の内面にそれぞれ配置し、内部部材２２の突起部２２ｅを表面部材１０の円孔１０ｄから突出している外部部材２１の凹み部２１ｅに、また、受け部２２ｃの突起２２ｆを外部２１の押さえ部２１ｆにある凹みに、それぞれに嵌合することで、表面部材１０に固定されている。
【００２１】
不使用時の本考案マスクは、上下部の裏面部材１１，１２を表面部材１０の裏面に折畳んだ状態で化粧箱などの容器に収容されて装着者に提供される。また、多数の本考案マスクを保管するときには、呼気弁２０を表面部材１０から外し、上下の裏面部材１１，１２を折畳んだ表面部材１０を積み重ねて保管箱などの保管容器に収納される。なお呼気弁２０は、同じ容器に収容するか、必要に応じて他の容器に収容する。従って、呼気弁２０はマスクを装着するに当って外部部材２１に内部部材２２を嵌合して組み立て、表面部材１０に装着する。
【００２２】
本考案立体マスクの装着は、図４に示すように、バンド１３を装着者の装着者の頭に掛け、上部裏面部材１１を上方に拡げて鼻を覆い、下部裏面部材１２を下方へ拡げて顎の周辺を覆うようにすると共に、呼気弁２０を口のあたりに配置し、ノーズピース１７を鼻に沿って曲げ、クッション材１８を鼻に当てて装着する。このとき、表面部材１０と上，下の裏面部材１１，１２は、袋縫いの縫着であるから、上，下に展開したとき、縫着線１１ｄ，１２ｄにおいて表面部材１０に対し立体化し易い。
【００２３】
ここで、本考案立体マスクは上部裏面部材１１が下縁および両側縁にカット部１１ｅを備え、また、下部裏面部材１２も上縁および両側縁にカット部１２ｅを備えていること、そして、上部裏面部材１１がその下縁およびカット部１１ｅを残して表面部材１０に袋縫いで縫着されると共に、下部裏面部材１２がその上縁およびカット部１２ｅを残して表面部材１０に袋縫いで縫着され、しかも、表面部材１０が、上縁と側縁との間を上部裏面部材１１と一緒にミシン目１４によって、また、下縁と側縁との間を下部裏面部材１２と一緒にミシン目１５によって、それぞれ袋縫いにより縫着されているので、上部裏面部材１１はミシン目１１ｄ，１４から上方に弯曲しつつ展開して、上部裏面部材１１の周縁を鼻から頬にかけてよく密着させることができる。
【００２４】
加えて、下部裏面部材１２も、表面部材１０が下縁と他方の側縁との間をミシン目１５によって袋縫いで縫着されているので、下部裏面部材１２もミシン目１２ｄ，１５から下方に弯曲しつつ展開して、下部裏面部材１２の周縁を顎から頬にかけてよく密着することができる。特に、上部裏面部材１１の縁は、その４５度のカット部１１ｅによって耳上部の手前側に位置する頬の膨らみによくなじんで密着でき、また、下部裏面部材１２の縁は、その４５度のカット部１２によって耳下部の手前側に位置する顎から頬にかけてよくなじんで密着することができる。
【００２５】
この結果、表面部材１０と該部材１０の上下辺に展開される上，下部の裏面部材１１および１２は、口と表面部材１０の裏面との間に余裕のある空間を形成し、この空間によって会話をしやすくし、女性の口紅などが付着しないなど立体マスク特有の効果を発揮する。
【００２６】
本考案立体マスクは、上記のように、表面部材１０が略長方形に形成され、その上縁と側縁との間が上部裏面部材１１と袋縫いで縫着され、また、表面部材１０の下縁と他方の側縁との間が下部裏面部材１２と袋縫いで縫着されていることにより、展開して装着する時、ミシン目１４，１５から着装者の顔面側に弯曲して折れ、立体マスク形態となる。これによって防塵性に優れ、装着感も良好な立体マスクを簡単な構造によって得ることができる。しかも、非装着時には、上，下部の裏面部材１１，１２が表面部材１０の裏面で重複しないから嵩張らない厚さで略長方形に折畳むことができ、従って、大量のマスクの保管や運搬を省スペース的に行うことができる。
【００２７】
なお、本考案マスクの保管にあたっては、呼気弁２０を表面部材１０から簡単に外すことができるので、表面部材１０を積み重ね、呼気弁２０と一緒にスペースをとらずに、格納しておくことができる。
【産業上の利用可能性】
【００２８】
以上に述べたように本考案マスクは、非装着時に、従来のガーゼマスクのような厚さが嵩張らない横長長方形状に折畳むことができ、装着時には、装着者の顔にぴったり密着する立体マスクに展開することができ、しかも、大量の保管を簡単に行うことができる。この結果、多量の保管を必須とし、若者、高齢者などに拘りなく様々な人々に抵抗なく受け入れられて使用されることが必要な災害用のマスクとして好適である。
【符号の説明】
【００２９】
１０          表面部材
１０ａ        表地
１０ｂ        裏地
１０ｃ        フィルタ
１０ｄ        円孔
１０ｅ        ミシン目
１１          上部裏面部材
１１ａ        表地
１１ｂ        裏地
１１ｃ        フィルタ
１１ｄ        ミシン目
１１ｅ        カット部
１２          下部裏面部材
１２ａ        表地
１２ｂ        裏地
１２ｃ        フィルタ
１２ｄ        ミシン目
１２ｅ        カット部
１３          バンド
１４，１５    ミシン目
１７          ノーズピース
１８          クッション材
２０          呼気弁
２１          外部部材
２１ａ        頂部
２１ｂ        基部
２１ｃ        柱部
２１ｄ        開口部
２１ｅ        凹み部
２１ｆ        押さえ部
２２          内部部材
２２ａ        基部
２２ｃ        受け部
２２ｅ        突起部
２２ｆ        突起
２３          フィルタ部材
【図１】
0003152793.tif 000003
【図２】
0003152793.tif 000004
【図３】
0003152793.tif 000005
【図４】
0003152793.tif 000006